(57)【特許請求の範囲】
【請求項１】
店舗が販売する服飾品の中から選択された選択服飾品の商品コード及び顧客管理番号を送信する店舗端末と、
顧客管理番号及び顧客が過去に購入した複数の購入服飾品の商品コードからなる利用者個人情報、服飾品の商品コード及びカラーコードからなる商品情報、並びに、カラーコード及びカラーコードの色同士の組み合わせに対する点数からなるパーソナルカラー情報が登録される服飾品情報データベースと、
前記店舗端末が送信した選択服飾品の商品コード及び顧客管理番号を受信する服飾品情報管理サーバとを具備する服飾品販売システムにおいて、
前記服飾品情報管理サーバは、選択服飾品の商品コード及び顧客管理番号を受信すると、前記服飾品情報データベースを検索し、前記購入服飾品のカラーコードと前記選択服飾品のカラーコードに付与された点数の高い順に選択するとともに、選択した前記購入服飾品のデータを前記店舗端末に送信すること、
を特徴とする服飾品販売システム。
【請求項２】
請求項１に記載の服飾品販売システムにおいて、
前記店舗端末は、前記服飾品情報管理サーバから前記購入服飾品のデータを受信すると、順位をつけて前記購入服飾品を画面に表示すること、
を特徴とする服飾品販売システム。
【請求項３】
請求項２に記載の服飾品販売システムにおいて、
服飾品管理番号及びパーソナルカラー情報からなる店舗が販売する服飾品の情報を記憶するファッション情報データベースを具備し、
前記店舗端末は、ファッションコーディネート店ボタンがクリックされると、前記ファッション情報データベースを検索し、販売しようとする商品のカラーコードと前記選択服飾品のカラーコードに付与された点数の高い順に選択し画面に表示すること、
を特徴とする服飾品販売システム。
【請求項４】
請求項３に記載の服飾品販売システムにおいて、
前記店舗端末は、販売しようとする商品のカラーコードと前記選択服飾品のカラーコードに付与された点数の高い順に選択し画面に表示する場合、前記購入服飾品よりも点数の高いもののみを表示すること、
を特徴とする服飾品販売システム。
【請求項５】
服飾品販売システムで使用される服飾品販売方法であって、前記服飾品販売システムは、
店舗が販売する服飾品の中から選択された選択服飾品の商品コード及び顧客管理番号を送信する店舗端末と、
顧客管理番号及び顧客が過去に購入した複数の購入服飾品の商品コードからなる利用者個人情報、服飾品の商品コード及びカラーコードからなる商品情報、並びに、カラーコード及びカラーコードの色同士の組み合わせに対する点数からなるパーソナルカラー情報が登録される服飾品情報データベースと、
前記店舗端末が送信した選択服飾品の商品コード及び顧客管理番号を受信する服飾品情報管理サーバとを具備し、
前記服飾品販売方法は、前記服飾品情報管理サーバが選択服飾品の商品コード及び顧客管理番号を受信すると、前記服飾品情報データベースを検索し、前記購入服飾品のカラーコードと前記選択服飾品のカラーコードに付与された点数の高い順に選択するとともに、選択した前記購入服飾品のデータを前記店舗端末に送信する第１ステップ、
を含むことを特徴とする服飾品販売方法。
【請求項６】
請求項５に記載の服飾品販売方法において、
前記店舗端末が前記服飾品情報管理サーバから前記購入服飾品のデータを受信すると、順位をつけて前記購入服飾品を画面に表示する第２ステップ、
を含むことを特徴とする服飾品販売方法。
【発明の詳細な説明】
【技術分野】
【０００１】
本発明は、服飾品販売システム及び服飾品販売方法に係り、更に詳しくは、顧客自身の顧客パーソナルカラー情報に基づいて、多数の服飾品の中から店舗側が推奨する服飾品を前記顧客に提示し、前記顧客が選択した服飾品と他の服飾品とをファッションコーディネートして販売する服飾品販売システム及び服飾品販売方法に関する。
【０００２】
また、本発明は上記の方法（ステップ又は手順）を半導体メモリー、ＬＤ（レーザーディスク）、ＨＤ（ハードディスク）、ＦＤ（フレキシブルディスク）、ＭＤ（ミニディスク）、ＣＤ（コンパクトディスク）又はＤＶＤ（デジタルバーサタイルディスク又はデジタルビデオディスク）などの情報記憶媒体に記録したプログラムそのものにも関係している。
【背景技術】
【０００３】
近年、一般的に日本国民の生活水準が向上し、また若者だけではなく性別や年代を問わずファッションの多様化に伴って、個人でも多種多様の服飾品（衣類、履き物、帽子、アクセサリ等）を所持しているが、必ずしもそれらの服飾品全てを有効に利用又は活用しているとは言えない。
【０００４】
通常、一般の人や庶民にとって、ファッション・コーディネート情報は、種々のファッション雑誌やアパレルメーカのカタログ等によって提供される場合や、個人的にブティックや洋装店等で店主や売り子（ファッション・センスを有するか否かは不明の者）からアドバイスを受けて得られる場合もあるが、所持する服飾品の組み合わせに関して、一般人のファッション・センスはやはり素人の域を出ず、プロフェッショナルのファッション・コーディネータ又はスタイリストのファッション・センスを活かしたコーディネートには遠く及ばない。
【発明の開示】
【発明が解決しようとする課題】
【０００５】
従って、プロの意見をその都度取り入れることができればいいのであるが、このファッション・コーディネータやスタイリストを利用できるのは、一部の富裕層やタレント等に限られており、一般大衆にとって経済的な面でも時間的な面でも制約が多く、プロのファッション・コーディネータまたはスタイリストのアドバイスを日常的に受けることは、現実問題として不可能である。
【０００６】
そして、一般人や庶民にとってファッション・コーディネートは、日常的に自分自身が所有する服飾品を自分自身で、または家族や友人の意見を参考にする程度で工夫しているのが実状である。
【０００７】
また、個々人が所有する服飾品の数及び情報の面から限界があるため、一般大衆にとってのファッション・コーディネートは、ワンパターン化する傾向にあり、日々のファッション・コーディネートに必要以上の時間を費やすことになる。
【０００８】
本発明は、上記の問題点を解決する為になされたものであり、後述する今話題のパーソナル・カラーを利用することにより、一般人や庶民でも所有する服飾品同士を容易にファッション・コーディネートすることが可能な服飾品販売システム及び服飾品販売方法を提供することを目的とする。
【０００９】
なお、ファッション・コーディネートに関して、本願発明に比較的近いと思われる第１従来技術（特許文献１）としては、「一般大衆にとってのファッション・コーディネートは、個々人が所有する服飾品の数及び情報の面からの限界があるため、ワンパターン化する傾向があり、また日々、必要以上の時間を費やすことになる。」ことを課題とし、「ユーザ端末装置３から複数の服飾品それぞれの情報をインターネットＩＮを介して予め中央装置１のＨＤ１０に登録しておき、コーディネートの条件をインターネットＩＮを介して入力することにより、ＨＤ１０に登録されている複数の服飾品の情報を参照して、入力された条件に従ってコーディネートが決定される。コーディネート結果の情報はインターネットＩＮを介して中央装置１へ送信され、ユーザ端末装置３からダウンロードされる。」というファッションコーディネート方法、ファッションコーディネートシステム、中央装置、端末装置及びコンピュータプログラムが出願公開されている。
【００１０】
第２従来技術（特許文献２）としては、「従来のファッション商品の通信販売方式では、ユーザは商品を着用したイメージが湧かず注文がためらわれ、購入後に手持ちファッション品との組み合わせや自分の体型の各部位サイズとの不整合で返品することも多かった。」ことを課題とし、「ユーザー端末１は閲覧処理手段とイメージスキャナ／ディジタルカメラ１１を備え、販売者システム２は商品画像、サイズを含む商品カタログと補足画像サンプルとユーザの体型サイズ、画像とを含むＤＢサーバ２２と、商品カタログを検索、閲覧させ、ユーザの画像、身長を入力させ各部位サイズを読取りユーザ画像、個人情報と共に登録し、シュミレーション要求を受け商品のサイズ、ユーザの各部位サイズを読出し商品寸法がユーザにフィットするか判定し、商品の画像、ユーザ画像、補足画像を合成した画像を判定結果と共に表示させ、商品購入要求、指定情報を受注データとして登録する通信サーバ２１とを含む。」というファッション商品のコーディネート販売システム及び方法が出願公開されている。
【００１１】
第３従来技術（特許文献３）としては、「ファッションの要素となる商品の組み合わせ、例えばどの柄模様のジャケットとどの色相のパンツを組み合わせるかということを、容易に行えるコーディネート システム、方法、プログラム記録媒体、およびプログラムを提供する。」ことを課題とし、「各商品１、２、３の画像、各商品を身体に着衣などした状態によって定まる画像表示位置、および画像の大きさ、を記憶する。また、各商品の画像を羅列して第１表示部４６Ａに表示する。表示された商品の画像を選択すると、この選択された商品の前記画像表示位置および前記大きさで複数を第２表示部４６Ｂに表示する。このとき、実際に着衣などした状態に近似するように、近づけて表示し、または一部を重ねて表示する画像処理を行う。」というコーディネートシステム、方法、プログラム記録媒体、およびプログラムが出願公開されている。
【００１２】
また、パーソナル・カラーに関して、第４従来技術（特許文献４）としては、「肌色別パーソナルカラーのセレクト・アレンジが容易にできる器具、日本人の肌の色（本発明においては４種類に分類する）の中から、各人の肌がどこに属するかを４種類の肌の色の台紙から選択し、肌に合う複数の色相環の傾向・メイクアップカラーを簡単に捜せるようにする。また、色相環の基本的な配色の組み合わせを応用し、カラーセレクト・アレンジが自由にできるようにするカラーセレクト・アレンジ器具を提供する。」ことを課題とし、「４枚の台紙を日本人の４種類の肌の色にする。それぞれの肌色毎に、肌をひきたてる複数の色相のカラーを環状に配置し、その肌の色の特徴並びに肌にあった代表的なリップカラー・チークカラー・ヘアカラー・アイシャドウカラーを色相環の中央にある表に記入する。１枚の台紙には、ＪＩＳ規格の色相環に基本的な配色の組み合わせ（カラーアレンジ）の関係を記入した円形の台紙を前記環と同心環状になるように配置して色相環の中心に回転可能に軸止する。」というパーソナルカラーシステム デコーダーが出願公開されている。
【００１３】
第５従来技術（特許文献５）としては、「本発明は顧客が通信ネットワークを介して指定するカラーの商品をカスタムメードで製造するパーソナルカラーオーダシステム及びパーソナルカラー オーダ方法に関し、端末からインターネットを介してサーバに送信された情報に基づき化粧品を製造する化粧品製造システムであって、化粧品の製造に用いられるカラーデータと顧客が希望するカラーを特定するためのカラー特定情報とを対応付けしたカラーデータベースを設けておき、端末から入力されたカラー特定情報に基づきカラーデータベースを参照して顧客の希望するカラーデータを検索し、この検索されたカラーデータを化粧品製造装置に送信し、顧客の希望する化粧品を製造し、これにより購買者（顧客）が希望するカラーの商品を容易かつ短時間でカスタムメードする。」というパーソナルカラーオーダシステム及びパーソナルカラーオーダ方法が出願公開されている。
【特許文献１】特開２００２−３３９１３５
【特許文献２】特開２００２−３７３２６６
【特許文献３】特開２００３−３４２８２０
【特許文献４】特開平１１−３０９０１６
【特許文献５】再表０２／００８９８３
【課題を解決するための手段】
【００１４】
請求項１に係る本発明の服飾品販売システムは、上記の目的を達成する為に、店舗が販売する服飾品の中から選択された選択服飾品の商品コード及び顧客管理番号を送信する店舗端末と、顧客管理番号及び顧客が過去に購入した複数の購入服飾品の商品コードからなる利用者個人情報、服飾品の商品コード及びカラーコードからなる商品情報、並びに、カラーコード及びカラーコードの色同士の組み合わせに対する点数からなるパーソナルカラー情報が登録される服飾品情報データベースと、前記店舗端末が送信した選択服飾品の商品コード及び顧客管理番号を受信する服飾品情報管理サーバとを具備する服飾品販売システムにおいて、前記服飾品情報管理サーバは、選択服飾品の商品コード及び顧客管理番号を受信すると、前記服飾品情報データベースを検索し、前記購入服飾品のカラーコードと前記選択服飾品のカラーコードに付与された点数の高い順に選択するとともに、選択した前記購入服飾品のデータを前記店舗端末に送信することを特徴とする。
【００１５】
請求項２に係る本発明の服飾品販売システムは、請求項１に記載の服飾品販売システムにおいて、前記店舗端末は、前記服飾品情報管理サーバから前記購入服飾品のデータを受信すると、順位をつけて前記購入服飾品を画面に表示することを特徴とする。
【００１６】
請求項３に係る本発明の服飾品販売システムは、請求項２に記載の服飾品販売システムにおいて、服飾品管理番号及びパーソナルカラー情報からなる店舗が販売する服飾品の情報を記憶するファッション情報データベースを具備し、前記店舗端末は、ファッションコーディネート店ボタンがクリックされると、前記ファッション情報データベースを検索し、販売しようとする商品のカラーコードと前記選択服飾品のカラーコードに付与された点数の高い順に選択し画面に表示することを特徴とする。
【００１７】
請求項４に係る本発明の服飾品販売システムは、請求項３に記載の服飾品販売システムにおいて、前記店舗端末は、販売しようとする商品のカラーコードと前記選択服飾品のカラーコードに付与された点数の高い順に選択し画面に表示する場合、前記購入服飾品よりも点数の高いもののみを表示することを特徴とする。
【００１８】
請求項５に係る本発明の服飾品販売方法は、服飾品販売システムで使用される服飾品販売方法であって、前記服飾品販売システムは、店舗が販売する服飾品の中から選択された選択服飾品の商品コード及び顧客管理番号を送信する店舗端末と、顧客管理番号及び顧客が過去に購入した複数の購入服飾品の商品コードからなる利用者個人情報、服飾品の商品コード及びカラーコードからなる商品情報、並びに、カラーコード及びカラーコードの色同士の組み合わせに対する点数からなるパーソナルカラー情報が登録される服飾品情報データベースと、前記店舗端末が送信した選択服飾品の商品コード及び顧客管理番号を受信する服飾品情報管理サーバとを具備し、前記服飾品販売方法は、前記服飾品情報管理サーバが選択服飾品の商品コード及び顧客管理番号を受信すると、前記服飾品情報データベースを検索し、前記購入服飾品のカラーコードと前記選択服飾品のカラーコードに付与された点数の高い順に選択するとともに、選択した前記購入服飾品のデータを前記店舗端末に送信する第１ステップを含むことを特徴とする。
【００１９】
請求項６に係る本発明の服飾品販売方法は、請求項５に記載の服飾品販売方法において、前記店舗端末が前記服飾品情報管理サーバから前記購入服飾品のデータを受信すると、順位をつけて前記購入服飾品を画面に表示する第２ステップを含むことを特徴とする。
【発明の効果】
【００２０】
請求項１に係る服飾品販売システムによれば、顧客購入品情報記憶手段は前記顧客が過去に購入した複数の服飾品の購入品個別情報を記憶し、服飾品選択手段は前記顧客が選択した服飾品のパーソナルカラー情報と前記顧客購入品情報記憶手段が記憶する購入品個別情報中のパーソナルカラー情報に基づいて、前記顧客が過去に購入した複数の服飾品の中から好適な服飾品を選択する。従って、パーソナルカラー情報に基づく客観的な判断により、顧客の所有する複数の服飾品の中から、購入した物とファッション・コーディネート可能なものを選択できる。
【００２１】
請求項２に係る服飾品販売システムによれば、店舗側は顧客が購入した服飾品とファッション・コーディネート可能なものを自動的且つ客観的に選択して、顧客に推奨できるので、売上が更に向上する。
【００２２】
請求項３に係る服飾品販売方法によれば、請求項１に係る服飾品販売システムと同様の効果を発揮する。
【００２３】
請求項４に係る服飾品販売方法によれば、請求項２に係る服飾品販売システムと同様の効果を発揮する。
【００２４】
請求項５に係る服飾品販売システムによれば、店舗販売品情報記憶手段は前記店舗側が販売する複数の服飾品の販売品個別情報を記憶し、顧客購入品情報記憶手段は前記顧客が過去に購入した複数の服飾品の購入品個別情報を記憶し、服飾品選択手段は顧客購入品情報指定手段が指定した購入品個別情報中の服飾品のパーソナルカラー情報と前記店舗販売品情報記憶手段が記憶する販売品個別情報中の服飾品のパーソナルカラー情報に基づいて、前記店舗側が販売する複数の服飾品の中から好適な服飾品を選択する。従って、パーソナルカラー情報に基づく客観的な判断により、顧客の所有する服飾品と、店舗が販売する服飾品とをファッション・コーディネートして顧客に推奨することができる。
【００２５】
請求項６に係る服飾品販売方法によれば、請求項５に係る服飾品販売システムと同様の効果を発揮する。
【発明を実施するための最良の形態】
【００２６】
まず、本願発明の特許性（特に、進歩性）の要点を説明する。
【００２７】
第一の要点は、「服飾品選択手段は、前記顧客が選択した服飾品のパーソナルカラー情報と前記顧客購入品情報記憶手段が記憶する購入品個別情報中のパーソナルカラー情報に基づいて、前記顧客が過去に購入した複数の服飾品の中から好適な服飾品を選択する」ことである。即ち、顧客パーソナルカラー情報に基づいて、店舗側が推奨する服飾品を顧客に提示し、更に顧客購入品情報記憶手段に記憶する顧客が過去に購入した複数の服飾品の中から好適な服飾品を選択する点（ファッション・コーディネートする点）である。
【００２８】
第二の要点は、「前記服飾品選択手段は、前記顧客が選択した服飾品のパーソナルカラー情報と前記店舗販売品情報記憶手段が記憶する販売品個別情報中のパーソナルカラー情報に基づいて、前記店舗側が販売する複数の服飾品の中から好適な服飾品を選択する」ことである。即ち、顧客が既に所有する服飾品よりも更にファッション・コーディネート可能なものを店舗側が客観的に推奨し販売できる点である。
【００２９】
次に、明細書中で使用する語句および用語の意味を定義する。
【００３０】
「二次元バーコード」とは、従来のバーコードがバーコード・シンボルキャラクタを直線的に並べて一方向だけに情報を持っているのに対し、シンボルキャラクタまたはそれに相当する情報単位を縦・横の二方向に配置したシンボル情報を持つ事で、記録できる情報量を飛躍的に増加させたコードである。二次元バーコードには、バーコードを積み重ねたようなスタック型の二次元コードと碁盤の上に石を並べたようなマトリックス型の二次元コードがある。また、その最大情報量が約１ＫＢあり、英数字なら約2000字、数字なら約3000桁までエンコードすることができる。情報化密度が非常に高く、従来のバーコードに比べ10倍から100倍あるので、数ミリ四方の極小シンボルも作成できる。さらに、仮名や漢字、図形、バイナリーコードもエンコードできるため、ICカードやフレキシブルディスクのような汎用的な情報媒体としても利用でき、基本的には紙をベースとしているため低価格である。二次元コードは、シンボルの基本単位であるバーやセルがバーコードに比べ非常に小さいことから、汚れや傷の影響を受けやすいのであるが、近代的な二次元バーコードは、障害により読めなくなったデータや誤って読み取ったデータを元の正しいデータに復元する誤り訂正機能を備えている。この誤り訂正レベルは、エンコードするときに任意に設定することができ、大きく設定すれば、シンボルの半分以上が障害を受けても正しく読み取ることができる。
【００３１】
例えば、本願発明に係る服飾品販売システムでは、顧客の携帯電話の画面上に表示された高密度・大容量な二次元バーコードを読み取ることで、顧客自身の顧客パーソナルカラー情報および顧客が過去に購入した複数の服飾品の購入品個別情報を入手することが出来る。なお、ａｕの「A5502K」（2004年1月に発売された京セラ製携帯電話端末）には、二次元バーコード読み込み機能が既に搭載されており、本服飾品販売システムに利用できることは言うまでもない。但し、「ａｕ」及び「京セラ」は、登録商標である。
【００３２】
以下、本発明の実施の形態を図面と共に詳細に説明する。
【００３３】
図１は、本発明に係る服飾品販売システムの基本構成図であり、複数の衣料品販売店舗が集合するファッションモールに適用した場合の概要を示している。なお、本システムは、ＰＤＣやＰＨＳ通信システムだけではなく、ＩＳ−９５規格や第三世代のＩＭＴ−２０００規格（International Mobile Telecommunications-2000通信規格：Ｗｉｄｅ  Ｂａｎｄ  ＣＤＭＡ規格又はＣＤＭＡ２０００規格）によるＣＤＭＡ（符号分割多元接続）通信方式に適している。
【００３４】
１Ａは、服飾品販売システムの利用者（顧客）が用いる無線通信装置としての携帯端末であり、基本的な音声通信機能や映像通信機能（即ち、テレビ電話機能）だけではなく、電子メールや文字通信機能およびＧＰＳ（Ｇｌｏｂａｌ  Ｐｏｓｉｔｉｏｎｉｎｇ  Ｓｙｓｔｅｍ）による位置検出機能を備えている。
【００３５】
１Ｂは、携帯端末１Ａに表示される二次元バーコード化された顧客会員証であり、顧客管理番号、利用者（顧客）自身の顧客パーソナルカラー情報や顧客が過去に購入した服飾品の情報が記録されている。
【００３６】
２Ａは、服飾品販売システムのサービスエリアをカバーする基地局であり、位置登録された携帯端末１Ａと必要な信号を送受信して、上記音声・映像通信機能、電子メール機能や文字通信機能などを実現する。
【００３７】
３Ａは、交換局であり、携帯電話通信網６Ａを経由して服飾品販売システム内の基地局２Ａを制御したり、公衆回線（ＰＳＴＮ回線又はＩＳＤＮ回線）やインターネット通信網からなる通信ネットワーク７Ａとの接続制御などを行う。
【００３８】
４Ａは、服飾品情報管理サーバであり、服飾品販売システムに必要とする情報管理の全ての制御を行う。特に、服飾品情報管理サーバ４Ａは、顧客が購入した服飾品の情報を後述する服飾品情報データベースに記憶し、更に記憶した当該服飾品情報を二次元バーコードに変換して利用者が保有する携帯端末１Ａに送信する。また、服飾品情報管理サーバ４Ａは、後述する無線通信制御装置５Ａに指示を出し、利用者の携帯端末１Ａの位置情報を入手させて、顧客と店舗との位置関係を示す地図情報を送信させる。なお、この地図情報により、利用者は迷うことなく目的とする店舗に到着できる。
【００３９】
４Ｂは、服飾品情報管理サーバ４Ａに接続された服飾品情報データベースであり、服飾品情報管理サーバ４Ａの制御に基づいて、全ての利用者の利用者個人情報（顧客ＩＤ番号、既に購入した服飾品の情報を含む）や、日本国内だけではなく全世界で販売されている服飾品の情報（例えば、服飾品管理番号、パーソナルカラー情報、生地、材質及び写真データなど）を記憶する。
【００４０】
５Ａは、無線通信制御装置であり、無線通信規格に従って、携帯端末１Ａ、基地局２Ａ及び交換局３Ａを制御することにより、音声通信機能、静止画及び動画などの映像通信機能、電子メール、文字通信機能及びＧＰＳによる位置検出機能など移動体無線通信機能の全てを実現する。特に、無線通信制御装置５Ａは、携帯端末１Ａに指示を出し、ＧＰＳ衛星（図示せず）から複数の位置データを入手し、三角測量などの計算により絶対位置情報を導き出す。そして、無線通信制御装置５Ａは、服飾品情報管理サーバ４Ａから通知を受けた顧客が向かっている店舗の位置情報と顧客の位置情報とに基づいて、お互いの位置関係を示す地図情報を継続して送信する。
【００４１】
５Ｂは、通信事業者毎に設置された各携帯端末に対応するコンテンツサーバであり、電子メールサーバ、音楽配信サーバ、ゲーム配信サーバ、地図情報サーバ及び服飾品販売システムサーバなどである。特に携帯端末１Ａは、服飾品販売システムサーバにアクセスした後、間接的に服飾品情報管理サーバ４Ａに接続され、必要な情報が送受信できるようになる。ただし、携帯端末１Ａは、服飾品情報管理サーバ４Ａに直接的に接続され場合もある。
【００４２】
８Ａは、複数の衣料品販売店舗が集合するファッションモールであり、加盟各店にはキャッシュレジスター機能も備える店舗端末８Ａ−１乃至店舗端末８Ａ−Ｎが設置されている。また、各店舗端末には、携帯端末１Ａの表示画面に表示される二次元バーコード１Ｂを読み取るための二次元バーコードリーダ８Ｂが接続されている。
【００４３】
８Ｃは、ファッション情報データベースであり、ファッションモール中の衣料品販売店舗が販売する全ての服飾品の情報（例えば、販売店舗コード、服飾品管理番号、パーソナルカラー情報、生地、材質及び写真データなど）を記憶する。
【００４４】
９Ａは、通信ネットワーク７Ａを経由して接続されている電子商取引メインフレームであり、銀行やクレジット会社などが電子商取引の為に使用する。例えば、ファッションモール８Ａの加盟各店と顧客との間で成立した商品売買契約の代金を、携帯端末１Ａと店舗端末８Ａ−１乃至店舗端末８Ａ−ＮとがＩｒＤＡやブルーツース規格（Bluetooth規格）による無線通信を用いて支払うことにより、電子的に決済できるようになっている。
【００４５】
なお、ＧＰＳを用いて位置検出を行う携帯端末の従来技術としては、特開平９−２４７７３０、特開平１０−１０３９９２、特開平１０−２５７５５５、特開平１１−２７７３６および特開平１１−２７７２９などがあり、実験段階ではあるが位置精度として数メートルの範囲で正確に計測できるようになっている。また、基地局を利用して位置測定する従来技術としては、特開平４−２２９７２９、特開平７−３８９５１、特開平８−１９１２６６、特開平９−１５９７４６および特開平９−１６１１７７などがあり、これらの位置計測技術をそのまま利用できることは言うまでもない。
【００４６】
また、ＭＹＣＯＭ  ＰＣＷＥＢのホームページ（非特許文献２）には、「EZナビウォークとは、GPS衛星の高精度位置情報を利用して、歩く速度に合わせて音声やバイブなどで目的地までの道のりを案内してくれるカーナビのようなサービスで、従来のGPS機能を進化させた半自律型のGPS測位システムが使われている。これは、最初に通信によって位置情報を取得したあとは、GPS衛星との電波送受信と端末の位置演算のみで現在位置を算出するため、位置情報を取得するためにその都度通信を行う必要がなく、よりリアルタイムなナビゲーションが可能というものだ。」と記載されており、この技術を利用できる。
【非特許文献２】http://pcweb.mycom.co.jp/articles/2003/12/10/a5503sa/  図２は、本発明に係る服飾品販売システムで用いる無線通信装置の構成ブロック図である。
【００４７】
１は、送受信部であり、アンテナ１５で受信した音声や映像及び各種制御信号が含まれる電波信号を中間周波数帯に変換したり、中間周波数帯の送信信号を無線周波数帯に変換して送受信する。
【００４８】
２は、モデム部であり、送受信信号を変復調する。なお、モデム（MOdulator-DEModulator）とは、「変復調装置」の略であり、コンピュータから送られてくるデジタルデータを音声信号に変換して電話回線に流したり、電話回線を通じて聞こえてくる音声信号をデジタルデータに変換したりする装置である。
【００４９】
３は、音声コーデック部であり、音声信号の符号化や復号化を行う。なお、コーデック（COder DECoder）とは、アナログ信号をデジタルデータに変換したり、その逆をおこなったりする電子回路である。また、信号やデータを一定の規則に従って符号化／復号化する回路や装置及びソフトウェアのことであり、音声や画像の記録や伝達に用いられる。
【００５０】
４は、アナログフロントエンド部であり、符号化された音声信号をデジタル／アナログ変換してレシーバ６を駆動したり、マイク５より入力された音声信号をアナログ／デジタル変換して音声コーデック部３に出力する。
【００５１】
７は、制御部であり、通話に必要な制御（例えば、位置登録、待受け、リンク確立、ハンドオーバなどの制御）や表示制御など無線通信装置に関する全ての制御を行う。特に、制御部は、後述する位置検出部が検出した位置情報を無線通信制御装置５Ａの要求に従って送信したり、無線通信制御装置５Ａやコンテンツサーバ５Ｂから配信される利用者と店舗との位置関係を示す地図情報を受信して表示させる。また、制御部は、服飾品情報管理サーバ４Ａに指示を出し、携帯端末１Ａの持ち主である顧客の識別子が付与され、利用者（顧客）自身の顧客パーソナルカラー情報や顧客が過去に購入した服飾品の情報が記録されている二次元バーコードを発行させる。
【００５２】
８は、キー入力部であり、制御プログラムで規定された操作手順に従って、必要なデータを制御部７などに入力する。
【００５３】
９は、表示部であり、カラー液晶表示装置（以下、「カラーＬＣＤ」という）や有機ＥＬ（有機エレクトロ・ルミネッセンス）、ＰＤＰ（プラズマ・ディスプレイ・パネル）などから成り、発呼者データ、画像データ、二次元バーコード及び地図情報など必要な情報を適宜表示する。
【００５４】
１０は、記憶部であり、発呼や電子メールの送受信に使用する電話帳データや写真などの画像データ、着信メロディの楽曲データおよび保留メロディデータなどを記憶する。特に、記憶部１０の所定エリアは、後述する位置検出部が取得した位置情報や無線通信制御装置５Ａから配信される地図情報を記憶するため、及び二次元バーコードで配信される顧客が過去に購入した服飾品の情報を記憶するために割り当てられている。
【００５５】
１１は、メロディ発生部であり、記憶部１０が記憶する着信メロディの楽曲データや受信した楽曲データに基づいて、着信メロディを発生させる。また、通話中においてキー入力部８の保留キーが操作されると、通話相手に対応する着信メロディをモデム部２、送受信部１およびアンテナ１５を経由して送信する。ただし、音声コーデック部３を経由する場合もある。
【００５６】
１２は、外部接続端子であり、ＤＳＣ（デジタル・スチル・カメラ）やＤＶＣ（デジタル・ビデオ・カメラ）などの画像データ入力装置やＭＩＤＩ対応音楽装置などから画像データや楽曲データが入力される。また、外部入出力装置１４として、カーナビゲーション装置などの位置検出機能を有する装置から位置情報を直接入手することも可能である。すなわち、自家用車やタクシーに搭載されたカーナビゲーション装置から外部接続端子１２を経由して、位置情報が得られるということである。
【００５７】
１３は、位置検出部であり、周知技術であるＧＰＳを用いて位置検出（三角測量など）を行う。なお、無線通信制御装置５Ａが基地局２Ａを用いた位置検出機能を有する場合、この位置検出部１３は必ずしも必要ではないが、携帯端末１ＡにはＧＰＳアンテナ１３Ａを有する位置検出部１３が必須構成となっている。
【００５８】
つぎに、パーソナルカラーについて詳細に説明する。
【００５９】
図３は、パーソナルカラーの２つのアンダートーンと４つのシーズンを示すカラーチャートである。
【００６０】
「パーソナルカラー」とは、自分の色、自分らしさを際だたせてくれる色、自分に似合う色であり、個人が持つ基本の色である「瞳の色」、「髪の色」、「肌の色」を分析・診断して初めてわかる色のことである。例えば、個人が「テレビに出ている俳優のファッションと同じ配色にしたけれど、予想に反してパッとしない。」ということがあるが、これはその俳優と個人のパーソナルカラーが違うという理由で起きてしまうことなのである。その個人自身のパーソナルカラーを知ることで、今まで以上に自分の個性を引き立てるファッション・コーディネートができるようになる。
【００６１】
従って、本発明に係る服飾品販売システムの利用者は、パーソナルカラー診断（非特許文献３）を受けて、自己の肌の色を２つのトーンと４つのシーズンの何れか１つに分類する必要がある。例えば、クールアンダートーンでサマー(夏)とか、ウォームアンダートーンでスプリング（春）というように、一義的に決まる。
【非特許文献３】http://www.1st-color.com/1st-color/okuri1/  ２つのアンダートーンについて：  肌の色は皮膚下のメラニン細胞が作り出すメラニン色素（茶色）、二つ目は血液に含まれるヘモグロピン（赤）、そして皮膚に含まれる少量のカロチン（黄色）によって決められる。もしかすると、皮膚の薄い人は黄みを帯びた脂肪の色も透けて見えるかもしれないが、このようにいろいろな色素によって構成される肌の色は人によって違う。例えば、白色人種、黒色人種、日本人のような黄色人種や、また同じ人種の中でも色白の人、色黒の人、肝臓が悪そうに見える人など様々な人が存在することは周知の通りである。
【００６２】
しかし人種に関係なく、人間の肌色は大きく二つの系統に分かれる。それはアンダートーンと呼ばれるもので、肌の黄色みが強いのがウォームアンダートーンで、それほど強くないのがクールアンダートーンである。これらはイエローアンダートーン（イエローベース）とかブルーアンダートーン（ブルーベース）などという呼ばれ方もしており、同じ意味ではあるが、出願時点ではイエローアンダートーン又はブルーアンダートーンと言う方が主流である。
【００６３】
パーソナルカラーの４つのシーズン（春夏秋冬）について：
ウォームとクールのアンダートーンをその色調によって、さらに二つに分けた物がシーズンと呼ばれるものである。ウォームアンダートーンは、スプリング（春）とオータム（秋）に、クールアンダートーンはサマー（夏）とウインター（冬）というタイプに分けられる。パーソナルカラー診断では、この４つの基本シーズンに肌色を分類し、それぞれのシーズンで似合うコーディネートの傾向も存在する。実際の診断では基本のシーズンを元にそれぞれの方に合う服装やアクセサリー、メイクのカラーなどをアドバイスできる。
【００６４】
パーソナルカラーの４つのシーズンとその特徴について：
スプリング（春）は、原色を薄めた明るいトーンである。活発さやかわいらしさを強調したコーディネートをし、カジュアルな雰囲気の物がよく似合う。
【００６５】
オータム（秋）は、原色に灰色を混ぜたアースカラーである。豊かな自然のトーンを活かして、シックもしくはゴージャスな印象を作ればよい。一般に、大きな柄の物もよく似合う。
【００６６】
サマー(夏)は、原色に白を混ぜたパステルトーンである。トーンが強くないので、シンプルなコーディネートをすればよい。アクセサリーは、小振りでシンプルな物で無地の物が似合うタイプである。
【００６７】
ウインター（冬）は、ブルーを基調とした鮮やかな原色である。色の印象が強いので、２色くらいの少ない色数で、コントラストを利かせた配色でドラマチックな印象を演出すればよい。
【００６８】
また、全ての服飾品の色（パーソナルカラー情報）は、アンダートーンとシーズン及び個人のパーソナルカラーとのマッチングの度合いを点数で評価されている。例えば、黄色１はクールアンダートーン及びサマー(夏)で、個人のパーソナルカラーがウォームアンダートーンでスプリング（春）とのマッチングの度合いが−２５点とか、個人のパーソナルカラーがクールアンダートーンでサマー(夏)とのマッチングの度合いが＋４０点といように決められている。
【００６９】
更に、全ての服飾品の色同士も同様に、マッチングの度合いが点数で評価されている。例えば、青色１はクールアンダートーン及びサマー(夏)で、赤色１のパーソナルカラーがウォームアンダートーンでスプリング（春）とのマッチングの度合いが−１５点とか、赤色２のパーソナルカラーがクールアンダートーンでサマー(夏)とのマッチングの度合いが＋３０点といように決められている。
【００７０】
つぎに、上述のように構成された本発明に係る服飾品販売システムの動作について詳細に説明する。
【００７１】
図４は、本発明に係る服飾品販売システムの顧客登録手順の概要を示すシーケンス図である。
【００７２】
まず、大前提として、ファッションモール、服飾品販売システム管理会社及び通信事業者（一般的には、「キャリア」と呼ばれている。）とが、服飾品販売システムの運用契約を締結し、お互いに協力関係が成立していると仮定する。
【００７３】
ファッションモールの各店舗は、来店した顧客に本発明に係る服飾品販売システムをスタートさせたことを宣伝及び説明し、自己の店舗（又は提携先事務所）で顧客にパーソナルカラー診断を受けさせて、顧客達をそのシステムの利用の為に会員登録させる。
【００７４】
例えば、顧客である山田花子が、その保有する携帯端末１Ａ（電話番号：０９０−８７６５−４３２１）を用いて、顧客会員登録の為に開設されているフリーダイヤル「０１２０−１２３−４５６」に発呼すると（ステップＳ１００）、基地局２Ａは、携帯端末１Ａに割り当てた上り制御チャネルを断続的に監視しており、携帯電話通信網６Ａ及び交換局３Ａを経由して、無線通信制御装置５Ａに接続し、携帯端末１Ａからフリーダイヤル「０１２０−１２３−４５６」に接続要求されたことを通知する。
【００７５】
無線通信制御装置５Ａは、基地局２Ａから携帯端末１Ａがフリーダイヤル「０１２０−１２３−４５６」に接続要求したことの通知を受けると（ステップＳ１０１）、当該フリーダイヤルが顧客会員登録用の番号であることを認識しているので、携帯端末１Ａに、例えば「この電話は、ファッションモールが運用しております服飾品販売システムへの会員登録専用の電話番号です。お客様が会員登録を希望される場合は、＃を押してください。」というアナウンスを流す（ステップＳ１０２）。
【００７６】
山田花子は、当該アナウンスを聴き、会員登録を希望しているので、キー入力部８を操作して、＃信号を送信する（ステップＳ１０３）。ただし、希望しない場合は、キー入力部８の電源／終了ボタンを操作すれば回線は切断され、会員登録されることなく手続きは終了する。
【００７７】
無線通信制御装置５Ａは、携帯端末１Ａから所定時間内に＃信号を受信すると（ステップＳ１０４）、既に基地局２Ａから通知を受けている携帯端末１Ａの契約者名「山田花子」及び電話番号である「０９０−８７６５−４３２１」を服飾品情報管理サーバ４Ａに送信して、携帯端末１Ａの所有者「山田花子」を新規登録可能か否かを確認するとともに（ステップＳ１０５）、携帯端末１Ａに、例えば、「お客様を新規会員登録ができるか確認しております。しばらくそのままでお待ちください。」というアナウンスを流す（ステップＳ１０６）。
【００７８】
服飾品情報管理サーバ４Ａは、無線通信制御装置５Ａから確認要求を受けると、服飾品情報データベース４Ｂに携帯端末１Ａの電話番号である「０９０−８７６５−４３２１」が登録されているか否かを判断し（ステップＳ１０７）、登録されていなければ、登録可能の応答信号を送信する一方、登録されていれば、重複登録を避けるために登録不能の応答信号を送信する（ステップＳ１０８）。
【００７９】
無線通信制御装置５Ａは、服飾品情報管理サーバ４Ａから登録応答信号を受信すると（ステップＳ１０９）、登録応答信号が登録可能を意味する信号であれば、携帯端末１Ａに、例えば、「お待たせしました。お客様を、ファッションモールの服飾品販売システムに新規登録できます。会員登録を希望される場合は、＃を押してください。」というアナウンスを流す（ステップＳ１１０）。
【００８０】
山田花子は、当該アナウンスを聴き、会員登録を希望しているので、キー入力部８を操作して、＃信号を送信する（ステップＳ１１１）。ただし、希望しない場合は、キー入力部８の電源／終了ボタンを操作すれば回線は切断され、会員登録されることなく手続きは終了する。
【００８１】
無線通信制御装置５Ａは、携帯端末１Ａから所定時間内に＃信号を受信すると（ステップＳ１１２）、服飾品情報管理サーバ４Ａに新規登録の指示信号とともに、山田花子が使用している携帯端末１ＡのＥ−ＭＡＩＬアドレス「ｈａｎａｋｏ＠ｙｙｙ．ｃｏｍ」及び診断を受けた自己のパーソナルカラーであるのアンダートーンとシーズンを送信する（ステップＳ１１３）。例えば、山田花子のパーソナルカラーは、クールアンダートーン及びサマー(夏)と仮定する。
【００８２】
服飾品情報管理サーバ４Ａは、無線通信制御装置５Ａから新規登録の指示、Ｅ−ＭＡＩＬアドレス及びパーソナルカラー情報を受信すると、服飾品情報データベース４Ｂに顧客の識別子である顧客管理番号を新たに付与し、既に通知されている名前「山田花子」、電話番号「０９０−８７６５−４３２１」、Ｅ−ＭＡＩＬアドレス「ｈａｎａｋｏ＠ｙｙｙ．ｃｏｍ」及びパーソナルカラーのクールアンダートーンとサマー(夏)を登録して、登録完了の応答信号を送信するとともに（ステップＳ１１４）、登録したＥ−ＭＡＩＬアドレス「ｈａｎａｋｏ＠ｙｙｙ．ｃｏｍ」宛てに二次元バーコード化した顧客会員証を電子メールで送信する（ステップＳ１１５）。
【００８３】
無線通信制御装置５Ａは、服飾品情報管理サーバ４Ａから登録完了応答信号を受信すると（ステップＳ１１６）、携帯端末１Ａに、例えば、「お客様の登録手続きが完了いたしました。顧客会員証を電子メールで送信しましたので、直ちに服飾品販売システムをご利用いただけます。今後ともファッションモールをお引き立ての程、よろしくお願い申し上げます。」というアナウンスを流した後に回線を切断する（ステップＳ１１７）。
【００８４】
なお、無線通信制御装置５Ａは、ステップＳ１０９で服飾品情報管理サーバ４Ａから登録不能の応答信号を受信すると、携帯端末１Ａに、例えば、「大変長らくお待たせ致しました。お客様は、既にファッションモールの服飾品販売システムに登録されています。引き続きご利用ください。」というアナウンスを流す。
【００８５】
図５は、本発明に係る服飾品販売システムで使用される携帯端末１Ａの模式図（写真）であり、図５（Ａ）が本体正面図及び図５（Ｂ）が表示部の拡大図である。
【００８６】
顧客である山田花子が、顧客会員証を電子メールで受信し所定のメール表示操作をすると、携帯端末１Ａはその表示部９に二次元バーコード化された顧客会員証を表示する。なお、この様にして表示された顧客会員証は記憶部１０に記憶され、服飾品購入の際に記憶部１０から読み出して表示される。そして、各店舗端末に接続された二次元バーコードリーダ８Ｂで読み取って、服飾品販売システムの情報管理に使用される。
【００８７】
図６は、服飾品情報データベース４Ｂに登録されている管理データの記憶状態を示す概念図であり、図６（Ａ）は利用者個人情報、図６（Ｂ）は商品情報及び図６（Ｃ）はパーソナルカラー情報の要部抜粋を示している。
【００８８】
利用者個人情報としては、図６（Ａ）に示すとおり、顧客管理番号（顧客の識別子）、顧客名、電話番号、Ｅ−ＭＡＩＬアドレス、個人ＰＣ（パーソナルカラー）、購入服飾品１〜購入服飾品Ｎなどであり、その他の情報としては年齢、性別、会社所の在地、職業、家族構成、嗜好品及び趣味などのデータが販促の為に必要に応じて登録されているが、本発明に直接関係しないので図示していない。なお、購入服飾品１〜購入服飾品Ｎは、顧客が過去に購入した服飾品の全てである。
【００８９】
図６（Ａ）において、利用者個人情報の顧客管理番号１には、顧客名「山下愛子」、電話番号「０９０−５４３２−１０９８」、Ｅ−ＭＡＩＬアドレス「ａｉｋｏ＠ｙｙｙ.ｃｏｍ」、個人ＰＣ「ＣＷｉ」（クール及びウィンター）、購入服飾品１「Ｇコード１」及び購入服飾品２「Ｇコード２」が既に登録されている。なお、購入服飾品３以降を省略し、購入服飾品Ｎは未購入を示す「ＮＵＬＬ」が登録されていると仮定する。なお、Ｇコードとは、「Ｇｏｏｄｓ  Ｃｏｄｅ」であり、日本語に訳せば「商品コード」を意味している。
【００９０】
次に、顧客管理番号２には、顧客名「山本文子」、電話番号「０９０−６５４３−２１０９」、Ｅ−ＭＡＩＬアドレス「ａｙａｋｏ＠ｙｙｙ.ｃｏｍ」、個人ＰＣ「ＷＡｕ」（ウォーム及びオータム）、購入服飾品１「Ｇコード３」及び購入服飾品２「Ｇコード４」が登録されている。
【００９１】
また、顧客管理番号３には、顧客名「山野弘子」、電話番号「０９０−７６５４−３２１０」、Ｅ−ＭＡＩＬアドレス「hｉｒｏｋｏ＠ｙｙｙ.ｃｏｍ」、個人ＰＣ「ＷＳｐ」（ウォーム及びスプリング）、購入服飾品１「Ｇコード５」及び購入服飾品２「Ｇコード６」が登録されている。
【００９２】
そして、顧客管理番号４には、いま登録したばかりの「山田花子」のデータとして、顧客名「山田花子」、電話番号「０９０−８７６５−４３２１」、Ｅ−ＭＡＩＬアドレス「ｈａｎａｋｏ＠ｙｙｙ.ｃｏｍ」、個人ＰＣ「ＣＳｕ」（クール及びサマー）、購入服飾品１「ＮＵＬＬ」〜購入服飾品Ｎ「ＮＵＬＬ」が新規に登録されている。即ち、新規登録したばかりなので、山田花子の購入服飾品は全く登録されていない状態である。
【００９３】
なお、顧客管理番号Ｎには、全てのデータに「ＮＵＬＬ」が登録されている。
【００９４】
商品情報としては、図６（Ｂ）に示すとおり、商品コード（商品の識別子としての服飾品管理番号）、商品名、カラーコード、季節、号数、性別及び写真データ（図示せず）であり、その他の情報としては、フォーマル／カジュアル、服飾品イメージ（ハード系／ソフト系）、生地や材質や製造メーカなどのデータが必要に応じて登録されているが、本発明に直接関係しないので図示していない。
【００９５】
図６（Ｂ）において、商品情報のＧコード１には、商品名「ジャケット１」、カラーコード「Ｃコード１」、季節「冬」、号数「９」、性別「女」が登録されている。
【００９６】
商品情報のＧコード２には、商品名「スカート２」、カラーコード「Ｃコード２」、季節「冬」、号数「９」、性別「女」が登録されている。
【００９７】
商品情報のＧコード３には、商品名「ジャケット３」、カラーコード「Ｃコード３」、季節「秋冬」、号数「１４」、性別「女」が登録されている。
【００９８】
商品情報のＧコード４には、商品名「スカート４」、カラーコード「Ｃコード４」、季節「秋冬」、号数「１４」、性別「女」が登録されている。
【００９９】
商品情報のＧコード５には、商品名「ジャケット５」、カラーコード「Ｃコード５」、季節「夏」、号数「１１」、性別「女」が登録されている。
【０１００】
商品情報のＧコード６には、商品名「スカート６」、カラーコード「Ｃコード６」、季節「夏」、号数「１１」、性別「女」が登録されている。
【０１０１】
なお、商品情報のＧコードＮには、全てのデータに「ＮＵＬＬ」が登録されている。
【０１０２】
パーソナルカラー情報としては、図６（Ｃ）に示すとおり、カラーコード、色のパーソナルカラー、個人ＰＣ・ＷＳｐ（個人パーソナルカラー・ウォームアンダートーンでスプリング）、個人ＰＣ・ＣＳｕ（個人パーソナルカラー・クールアンダートーンでサマー）、…、カラーコード・Ｃコード１、カラーコード・Ｃコード２であり、図では省略しているが、個人ＰＣ・ＣＷｉ（個人パーソナルカラー・クールアンダートーンでウィンター）及び個人ＰＣ・ＷＡｕ（個人パーソナルカラー・ウォームアンダートーンでオータム）やカラーコード「Ｃコード３」〜「ＣコードＮ」が存在する。
【０１０３】
図６（Ｃ）において、カラーコードのＣコード１には、色のパーソナルカラー「黄ＣＳｕ」、個人ＰＣ・ＷＳｐ「−２５」、個人ＰＣ・ＣＳｕ「＋４０」、…、カラーコード・Ｃコード１「＋２０」及びカラーコード・Ｃコード２「−１０」…、が登録されている。なお、個人ＰＣ・ＷＳｐ「−２５」やカラーコード・Ｃコード１「＋２０」は、Ｃコード１の色とのマッチングの度合いを点数で評価したものである。例えば、Ｃコード１「＋２０」は、同じ色同士の組み合わせの点数を示しており、服飾品をファッション・コーディネートする際の客観的基準となる。
【０１０４】
カラーコードのＣコード２には、色のパーソナルカラー「赤ＷＳｐ」、個人ＰＣ・ＷＳｐ「＋３４」、個人ＰＣ・ＣＳｕ「−１８」、…、カラーコード・Ｃコード１「−１０」及びカラーコード・Ｃコード２「＋１０」…、が登録されている。
【０１０５】
カラーコードのＣコード３には、色のパーソナルカラー「青ＣＳｕ」、個人ＰＣ・ＷＳｐ「−４６」、個人ＰＣ・ＣＳｕ「＋５５」、…、カラーコード・Ｃコード１「＋２５」及びカラーコード・Ｃコード２「−２１」…、が登録されている。
【０１０６】
カラーコードのＣコード４には、色のパーソナルカラー「茶ＣＷｉ」、個人ＰＣ・ＷＳｐ「−２０」、個人ＰＣ・ＣＳｕ「＋５」、…、カラーコード・Ｃコード１「＋２」及びカラーコード・Ｃコード２「−２８」…、が登録されている。
【０１０７】
カラーコードのＣコード５には、色のパーソナルカラー「灰ＷＡｕ」、個人ＰＣ・ＷＳｐ「＋１２」、個人ＰＣ・ＣＳｕ「−５８」、…、カラーコード・Ｃコード１「−３２」及びカラーコード・Ｃコード２「＋８」…、が登録されている。
【０１０８】
カラーコードのＣコード６には、色のパーソナルカラー「紫ＷＳｐ」、個人ＰＣ・ＷＳｐ「＋７５」、個人ＰＣ・ＣＳｕ「−３２」、…、カラーコード・Ｃコード１「−２１」及びカラーコード・Ｃコード２「＋４０」…、が登録されている。
【０１０９】
そして、カラーコードのＣコードＮには、全てのデータに「ＮＵＬＬ」が登録されている。
【０１１０】
図７は、服飾品情報データベース４Ｂに登録されている管理データ（利用者個人情報）の記憶状態を示す概念図である。
【０１１１】
図６（Ａ）の状態から、山田花子が携帯端末１Ａを操作して、購入服飾品１及び購入服飾品２としてそれぞれＧコード７Ｇ及びコード８を電子メールで送信し、服飾品情報管理サーバ４Ａの服飾品情報データベース４Ｂに更新登録した状態を示している。なお、この更新登録は、ファッションモールの店舗端末を操作し、山田花子の携帯端末１Ａに表示される二次元バーコード化された顧客会員証を読み取って、店舗端末から入力された更新情報を服飾品情報管理サーバ４Ａに送信することにより行うことも可能である。
【０１１２】
図８は、本発明に係る服飾品販売システムによるファッションコーディネートの概要を示すシーケンス図である。
【０１１３】
顧客の山田花子は、秋物の青色系ジャケットを新規購入し、自己が所有するスカートにファッションコーディネートするために、このファッションモールに来たと仮定する。
【０１１４】
山田花子は、店員に秋物の青色ジャケットを探していることを伝え、二次元バーコード化された顧客会員証を携帯端末１Ａの表示部９に表示させると（ステップＳ２００）、当該店員は表示された顧客会員証（二次元バーコード）を二次元バーコードリーダ８Ｂで読み取るとともに、店舗端末８Ａ−１を操作して、秋物の青色ジャケットを検索入力する（ステップＳ２０１）。なお、山田花子の希望により、検索商品情報として、フォーマル／カジュアル、服飾品イメージ（ハード系／ソフト系）、生地又は材質や製造メーカなどのデータが必要に応じて入力される。
【０１１５】
店舗端末８Ａ−１は、ファッション情報データベース８Ｃを検索し、入力された検索条件に合致するものを表示する（ステップＳ２０２）。特に、店舗端末８Ａ−１は、この表示の際に、色のパーソナルカラーに対する個人パーソナルカラーの値が高い順に従って上から表示する（図９参照）。即ち、山田花子のパーソナルカラーは、クールアンダートーン及びサマー(夏)であるから、それに最も似合う青系の色を用いているジャケット３（点数は＋５５）を自動的に一番に選んでいるのである。
【０１１６】
また、表示された商品コードをマウスで選択し写真ボタンをクリックすると、ファッション情報データベース８Ｃから写真データが読み出され、当該商品の写真が画面に表示されるようになっている。更に、表示された商品コードをマウスで選択し表示ボタンをクリックすると、無線通信機能により対応する商品が掛けられたハンガーの表示装置が点滅するようになっている。これにより、顧客だけではなく店員も迷うことなく当該商品を探すことができる。この無線通信機能に類似する技術に関しては、例えば、特開２００１−６２１９０や特開２００１−３０７０３４に開示されており、この技術を利用することが可能である。なお、店舗に陳列されている服飾品には商品タグが付いており、そこには、商品情報として、商品コード（商品の識別子としての服飾品管理番号）、商品名、カラーコード（パーソナルカラー）、季節、号数及び性別などが記載されており、特に顧客はカラーコード（パーソナルカラー）を最大の目安にして服飾品を選択する。
【０１１７】
山田花子は、ジャケット３が気に入り、自己が所有するスカートにファッションコーディネートしたい旨を店員に告げると、店員はジャケット３をマウスで選択しＦＣ客ボタン（ファッションコーディネート客ボタン）をクリックすることにより、山田花子の顧客管理番号（この場合、「４」である）とジャケット３の商品コード（Ｇコード３）を服飾品情報管理サーバ４Ａに送信する（ステップＳ２０３）。なお、組合すべき「スカート」という情報や秋物などの検索情報も必要に応じて送信される。
【０１１８】
服飾品情報管理サーバ４Ａは、ステップＳ２０４で顧客管理番号と商品コードを受信すると、服飾品情報データベース４Ｂを検索し、山田花子が購入済みの商品であるＧコード７及びＧコード８…の中から、最も似合うスカートを順位をつけて選択する。特に、服飾品情報管理サーバ４Ａは、購入済み商品のカラーコードと、ジャケット３のカラーコードに付与された点数の高い順に選択する（ステップＳ２０５）。例えば、Ｇコード７のスカートのカラーコードをＣコード１（黄ＣＳｕ）とすると「＋２５」であり、Ｇコード８のスカートのカラーコードをＣコード２（赤ＷＳｐ）とすると「−２１」になるので、Ｇコード７のスカートを順位を上にして選択する。
【０１１９】
そして、服飾品情報管理サーバ４Ａは、ステップＳ２０６で選択したコーディネート商品のデータを店舗端末８Ａ−１に送信する。なお、コーディネート商品のデータには、カラーコード同士の点数も含まれているので、高い順に順位がつけられる。
【０１２０】
店舗端末８Ａ−１は、服飾品情報管理サーバ４Ａからコーディネート商品のデータを受信すると、ステップＳ２０７で、順位をつけて表示する（図１０参照）。これにより、顧客である山田花子は、ジャケット３にファッションコーディネート可能なスカートを容易に知ることができる。
【０１２１】
次に、店員はジャケット３に店舗のスカートを組み合わせて販売するために、ＦＣ店ボタン（ファッションコーディネート店ボタン）をクリックすると、店舗端末８Ａ−１は、ファッション情報データベース８Ｃを検索し、最も似合うスカートを順位をつけて選択表示する（ステップＳ２０８）。特に、店舗端末８Ａ−１は、販売しようとする商品（スカート）のカラーコードと、ジャケット３のカラーコードに付与された点数の高い順に選択する。なお、この表示の際に、顧客が所有するスカートよりも点数の高いもののみを表示するようになっている。即ち、Ｇコード７のスカートのカラーコードをＣコード１（黄ＣＳｕ）とすると「＋２５」であり、店舗端末８Ａ−１は、販売しようとするスカートで「＋２５」よりも高い点数のものだけを選択表示する。これにより、顧客は納得して購入することができるという、特有の作用効果がある。
【０１２２】
なお、ジャケット３やファッションコーディネートしたスカートの支払いは、最終的に決済の際に、現金ボタンと電子決算ボタンとを表示して、商品の購入代金を現金で支払うのか又は電子決算するのかを問い合わせ、その結果を入力する（ステップＳ２０９）。
【０１２３】
なお、顧客が現金での支払いを希望すれば、店員が「現金」ボタンをマウスで選択入力し（クリックし）、その後、預かり金額を入力すると、計算された残金が自動的に返却口から排出されるようになっている。その一方、顧客が携帯端末１Ａでの支払い（即ち、電子決算）を希望するのであれば、顧客が携帯端末１Ａを操作することにより、店舗端末８Ａ−１とＩｒＤＡやブルーツース規格による無線通信を行った後、通信ネットワーク７Ａを経由して店舗端末８Ａ−１から購買情報（顧客情報、口座番号及び購入金額など）を電子商取引メインフレーム９Ａに送信すると、購入代金が電子的に決済できるようになっている（ステップＳ２１０）。
【０１２４】
図１１は、本発明に係る服飾品販売システムによるファッションコーディネートの概要を示すシーケンス図である。
【０１２５】
顧客の山田花子は、自己が所有するお気に入りのスカートにファッションコーディネートするために、このファッションモールに来たと仮定する。
【０１２６】
山田花子は、店員にお気に入りのスカートに合うジャケットを探していることを伝え、二次元バーコード化された顧客会員証を携帯端末１Ａの表示部９に表示させると（ステップＳ３００）、当該店員は表示された顧客会員証（二次元バーコード）を二次元バーコードリーダ８Ｂで読み取るとともに、店舗端末８Ａ−１に「スカート」という情報を入力する（ステップＳ３０１）。
【０１２７】
店舗端末８Ａ−１は、上記情報入力を受けると、ステップＳ３０２で、顧客会員番号と商品データ（「スカート」という情報）を服飾品情報管理サーバ４Ａに送信する。
【０１２８】
服飾品情報管理サーバ４Ａは、ステップＳ３０３で顧客管理番号と商品コードを受信すると、服飾品情報データベース４Ｂを検索し、山田花子が購入済みの商品であるＧコード７及びＧコード８…の中から、スカートを選択する（ステップＳ３０４）。
【０１２９】
そして、服飾品情報管理サーバ４Ａは、ステップＳ３０５で選択したコーディネート商品のデータを店舗端末８Ａ−１に送信する。
【０１３０】
店舗端末８Ａ−１は、服飾品情報管理サーバ４Ａからコーディネート商品のデータを受信すると、ステップＳ３０７で表示する（図１２参照）。ここで、商品コード（例えば、Ｇコード７のスカート７）を選択し、写真ボタンをクリックするとスカートの写真が表示される。これにより、顧客である山田花子は、スカートを容易に選択指定することができる。なお、この様にすることで、山田花子はスカートを持参する必要がなくなるという、特有の作用・効果がある。
【０１３１】
次に、店員はスカート７に店舗のジャケットを組み合わせて販売するために、ＦＣ店ボタン（ファッションコーディネート店ボタン）をクリックすると、店舗端末８Ａ−１は、ファッション情報データベース８Ｃを検索し、最も似合うジャケットを順位をつけて選択表示する（ステップＳ３０８）。特に、店舗端末８Ａ−１は、販売しようとする商品（ジャケット）のカラーコードと、スカート７のカラーコードに付与された点数の高い順に選択及び表示する（図１３参照）。
【０１３２】
なお、ジャケットの支払いは、最終的に決済の際に、現金ボタンと電子決算ボタンとを表示して、商品の購入代金を現金で支払うのか又は電子決算するのかを問い合わせ、その結果を入力する（ステップＳ３０９）。
【０１３３】
なお、顧客が現金での支払いを希望すれば、店員が「現金」ボタンをマウスで選択入力し（クリックし）、その後、預かり金額を入力すると、計算された残金が自動的に返却口から排出されるようになっている。その一方、顧客が携帯端末１Ａでの支払い（即ち、電子決算）を希望するのであれば、顧客が携帯端末１Ａを操作することにより、店舗端末８Ａ−１とＩｒＤＡやブルーツース規格による無線通信を行った後、通信ネットワーク７Ａを経由して店舗端末８Ａ−１から購買情報（顧客情報、口座番号及び購入金額など）を電子商取引メインフレーム９Ａに送信すると、購入代金が電子的に決済できるようになっている（ステップＳ３１０）。
【図面の簡単な説明】
【０１３４】
【図１】本発明に係る服飾品販売システムの基本構成図である。
【図２】本発明に係る服飾品販売システムで用いる無線通信装置の構成ブロック図である。
【図３】パーソナルカラーの２つのアンダートーンと４つのシーズンを示すカラーチャートである。
【図４】本発明に係る服飾品販売システムの顧客登録手順の概要を示すシーケンス図である。
【図５】本発明に係る服飾品販売システムで使用される携帯端末１Ａの模式図（写真）である。
【図６】服飾品情報データベース４Ｂに登録されている管理データの記憶状態を示す概念図である。
【図７】服飾品情報データベース４Ｂに登録されている管理データ（利用者個人情報）の記憶状態を示す概念図である。
【図８】本発明に係る服飾品販売システムによるファッションコーディネートの概要を示すシーケンス図である。
【図９】本発明に係る服飾品販売システムで用いる店舗端末８Ａ−１の拡大模式図である。
【図１０】本発明に係る服飾品販売システムで用いる店舗端末８Ａ−１の拡大模式図である。
【図１１】本発明に係る服飾品販売システムによるファッションコーディネートの概要を示すシーケンス図である。
【図１２】本発明に係る服飾品販売システムで用いる店舗端末８Ａ−１の拡大模式図である。
【図１３】本発明に係る服飾品販売システムで用いる店舗端末８Ａ−１の拡大模式図である。
【符号の説明】
【０１３５】
１Ａ      携帯端末
１Ｂ      二次元バーコード
２Ａ      基地局
３Ａ      交換局
４Ａ      服飾品情報管理サーバ
４Ｂ      服飾品情報データベース
５Ａ      無線通信制御装置
５Ｂ      コンテンツサーバ
６Ａ      携帯電話通信網
７Ａ      通信ネットワーク
８Ａ      ファッションモール
８Ａ−１  店舗端末
８Ｂ      二次元バーコードリーダ
８Ｃ      ファッション情報データベース
９Ａ      電子商取引メインフレーム
１        送受信部
２        モデム部
３        音声コーデック部
４        アナログフロントエンド
５        マイク
６        レシーバ
７        制御部
８        キー入力部
９        表示部
１０      記憶部
１１      メロディ発生部
１２      外部接続端子
１３      位置検出部
１３Ａ    ＧＰＳアンテナ
１４      外部入出力装置
１５      アンテナ
【要約】
【課題】パーソナル・カラーを利用することにより、一般人や庶民でも所有する服飾品同士を容易にファッション・コーディネートすることが可能な服飾品販売システム及び服飾品販売方法を提供することにある。
【解決手段】ジャケット３をマウスで選択しＦＣ客ボタンをクリックすると、顧客管理番号とジャケット３の商品コードを服飾品情報管理サーバ４Ａに送信する（ステップＳ２０３）。服飾品情報管理サーバ４Ａは、ステップＳ２０４で顧客管理番号と商品コードを受信すると、服飾品情報データベース４Ｂを検索し、山田花子が購入済みの商品であるＧコード７及びＧコード８…の中から、最も似合うスカートを順位をつけて選択する。
【選択図】図８
【図１】
0003660677.tif 000002
【図２】
0003660677.tif 000003
【図３】
0003660677.tif 000004
【図４】
0003660677.tif 000005
【図５】
0003660677.tif 000006
【図６】
0003660677.tif 000007
【図７】
0003660677.tif 000008
【図８】
0003660677.tif 000009
【図９】
0003660677.tif 000010
【図１０】
0003660677.tif 000011
【図１１】
0003660677.tif 000012
【図１２】
0003660677.tif 000013
【図１３】
0003660677.tif 000014